(57)【要約】【課題】大型化することなく既存の外形のままで保持力の向上を図ることができる電線カバーの係止構造を提供する。【解決手段】電線カバー１又はコネクタ３の一方に設けられたロック爪１１と、電線カバー１又はコネクタ３の他方に設けられたロックアーム１０とを係止させることで、電線カバー１をコネクタ３に組み付ける電線カバーの係止構造において、少なくともロック爪１１及びロックアーム１０の一方に、電線を介して電線カバー１に与えられる回転力によるロック爪１１又はロックアーム１０の変形を防止するための変形防止機構１４，１７を設けた電線カバーの係止構造。【選択図】図１
2008041443.tif 000002
【特許請求の範囲】
【請求項１】
端子付電線の端子を収容し電線を外部に引き出すコネクタの前記電線を覆って前記コネクタに組み付けられる電線カバーの係止構造であって、
前記電線カバー又は前記コネクタの一方に設けられたロック爪と、前記電線カバー又は前記コネクタの他方に設けられたロックアームとを係止させることで、前記電線カバーを前記コネクタに組み付ける電線カバーの係止構造において、
前記ロック爪又は前記ロックアームの少なくとも一方に、前記電線を介して前記電線カバーに与えられる回転力による前記ロック爪又は前記ロックアームの変形を防止するための変形防止機構を設けたことを特徴とする電線カバーの係止構造。
【請求項２】
前記変形防止機構が、前記ロックアームに形成され前記回転力による変位方向に対して傾斜した当接面を有する突起と、前記突起を収容可能な凹部として前記ロック爪に形成され前記突起の前記当接面と係合する傾斜した当接面を有する内方広がり形状の突起収容部とからなることを特徴とする請求項１に記載した電線カバーの係止構造。
【請求項３】
前記変形防止機構が、前記ロック爪に形成され前記回転力による変位方向に対して傾斜した傾斜面を有する傾斜突起と、前記ロックアームに形成され前記傾斜突起の前記傾斜面に摺接するガイド部と、前記ガイド部により案内される前記ロックアームの移動を制限する当接突部とからなることを特徴とする請求項１に記載した電線カバーの係止構造。
【発明の詳細な説明】
【技術分野】
【０００１】
本発明は、端子付電線の端子を収容し電線を外部に引き出すコネクタの電線を覆ってコネクタに組み付けられる電線カバーの係止構造に関する。
【背景技術】
【０００２】
電線カバーの係止構造の一例として、図７に示すように、レバー２が回動自在に組付けられているコネクタハウジング３に係止される電線カバー１が知られている（例えば、特許文献１参照）。
【０００３】
このような電線カバー１は、半円筒形状に形成されたカバー本体４の上端部の一対の端板５上にロックアーム６をそれぞれ有する。コネクタハウジング３は、不図示の端子付電線の端子を収容しており、その電線がコネクタハウジング３の前部において、ほぼ直角に折り曲げられて外部の右方に引き出されており、フード部７上に一対のロック爪８をそれぞれ有する。電線カバー１は、引き出されている電線の外側を覆うように配置されてから、ロックアーム６がロック爪８にそれぞれ係止されることで、コネクタハウジング３に組み付けられて電線を保護するようになっている。
【０００４】
【特許文献１】特開平１０−１３４８８１号公報（図１）
【発明の開示】
【発明が解決しようとする課題】
【０００５】
ところが、上記特許文献１に開示された電線カバーの係止構造は、電線カバー１がコネクタハウジング３に組み付けられている際に、電線が引っ張られたり、持ち上げられたりすると、電線カバー１に図中に矢印で示す回転方向の大きな外力ｆ１が加えられることがある。すると、この外力ｆ１により、電線カバー１は、ロックアーム６がロック爪８を横方向から乗り上げてしまい、係止が外れて電線カバー１がコネクタハウジング３から脱落する恐れがある。
【０００６】
これに対して、外力ｆ１に耐え得るようにするために、ロックアーム及びロック爪のボリュームを大きくして対処することが考えられるが、ボリュームの増加は、電線カバー１及びコネクタハウジング３の大型化を招くために好ましくなく、実現性に乏しい。
【０００７】
本発明の目的は、上記問題を解消することにあり、大型化することなく既存の外形のままで保持力の向上を図ることができる電線カバーの係止構造を提供することにある。
【課題を解決するための手段】
【０００８】
本発明の上記目的は、下記構成により達成される。
【０００９】
（１）  端子付電線の端子を収容し電線を外部に引き出すコネクタの前記電線を覆って前記コネクタに組み付けられる電線カバーの係止構造であって、
前記電線カバー又は前記コネクタの一方に設けられたロック爪と、前記電線カバー又は前記コネクタの他方に設けられたロックアームとを係止させることで、前記電線カバーを前記コネクタに組み付ける電線カバーの係止構造において、
前記ロック爪又は前記ロックアームの少なくとも一方に、前記電線を介して前記電線カバーに与えられる回転力による前記ロック爪又は前記ロックアームの変形を防止するための変形防止機構を設けたことを特徴とする電線カバーの係止構造。
【００１０】
（２）  前記変形防止機構が、前記ロックアームに形成され前記回転力による変位方向に対して傾斜した当接面を有する突起と、前記突起を収容可能な凹部として前記ロック爪に形成され前記突起の前記当接面と係合する傾斜した当接面を有する内方広がり形状の突起収容部とからなることを特徴とする前記（１）記載の電線カバーの係止構造。
【００１１】
（３）  前記変形防止機構が、前記ロック爪に形成され前記回転力による変位方向に対して傾斜した傾斜面を有する傾斜突起と、前記ロックアームに形成され前記傾斜突起の前記傾斜面に摺接するガイド部と、前記ガイド部により案内される前記ロックアームの移動を制限する当接突部とからなることを特徴とする前記（１）記載の電線カバーの係止構造。
【００１２】
上記（１）の構成の電線カバーの係止構造によれば、電線カバーがコネクタに組み付けられている際に、電線が引っ張られたり、持ち上げられたりして大きな回転力が電線カバーにかかったとしても、ロック爪とロックアームとに設けられている変形防止機構によってロック爪又はロックアームの変形が防止される。そして、変形防止機構は、既存のロック爪又はロックアームに形成されるために外形に変更はない。これにより、変形を防止されたロック爪又はロックアームによって係止が外れることがないので、大型化することなく既存の外形のままで保持力の向上を図ることができる。
【００１３】
上記（２）の構成の電線カバーの係止構造によれば、変形防止機構が、ロック爪に形成され回転力による変位方向に対して傾斜した当接面を有する突起と、突起を収容可能な凹部としてロックアームに形成され突起の当接面と係合する傾斜した当接面を有する内方広がり形状の突起収容部とからなることにより、電線カバーに回転力が与えられた際に、突起収容部に収容されている突起の当接面が突起収容部の当接面に当接される。これにより、ロックアームの変形が防止されて互いの係止が外れない。突起収容部は、ロック爪の外形を変更することなく形成され、突起は、ロックアームの外形を変更することなく形成される。これにより、大きな外形の変更を伴うことなくロックアームとロック爪との確実な係止を保証することができる。
【００１４】
上記（３）の構成の電線カバーの係止構造によれば、変形防止機構が、ロック爪に形成され回転力による変位方向に対して傾斜した傾斜面を有する傾斜突起と、ロックアームに形成され傾斜突起の傾斜面に摺接するガイド部と、ガイド部により案内されるロックアームの移動を制限する当接突部とからなることにより、電線カバーに回転力が与えられた際に、ガイド部が傾斜突起の傾斜面に摺接して案内されてロックアームが当接突部に当接する。これにより、ロックアームの変形が防止されて互いの係止が外れない。傾斜突起は、ロック爪の外形を変更することなく形成され、ガイド部は、ロックアームの外形を変更することなく形成される。これにより、大きな外形の変更を伴うことなく、ロックアームとロック爪との確実な係止を保証することができる。
【発明の効果】
【００１５】
本発明によれば、端子付電線の端子を収容し電線を外部に引き出すコネクタの電線を覆ってコネクタに組み付けられる電線カバーの係止構造において、大型化することなく既存の外形のままで保持力の向上を図ることができる電線カバーの係止構造を提供できる。
【発明を実施するための最良の形態】
【００１６】
以下、本発明に係る複数の好適な実施形態を図面に基づいて詳細に説明する。
【００１７】
（第１実施形態）
図１は本発明に係る第１実施形態である電線カバーの係止構造における係止前の外観斜視図、図２は図１に示す電線カバーの係止構造の係止時の外観斜視図、図３は図２のＩ−Ｉ線断面図である。なお、電線カバーとコネクタハウジングとの基本的な構造は、従来のものと同様であるために、それらの図示は省略し、それらの符号を援用して用いることとする。
【００１８】
図１に示すように、本発明の第１実施形態である電線カバーの係止構造は、電線カバー１の端板５上に形成されたロックアーム１０と、コネクタハウジング３のフード部７上に形成されたロック爪１１とからなる。
【００１９】
ロックアーム１０は、端板５上に立設された一対の側板１２と、一対の側板１２の前方側に掛け渡された天板１３とを備えており、天板１３の後方側（図１中、左下側）に、変形防止機構を構成する突起１４が形成されている。
【００２０】
突起１４は、断面が等脚台形形状で後方に向けて突出しており、両側部に、傾斜面状の当接面１５をそれぞれ有する。当接面１５は回転力による変位方向（図３中、上下方向）に対して所定角度傾斜している。なお、突起１４の断面としては、等脚台形形状に代えて、半円形状や三角形状であっても良い。
【００２１】
ロック爪１１は、フード部７からＬ字形状に突出されており、前端部に係合突起１６が突出形成されており、この係合突起１６に近接して、変形防止機構を構成する突起収容部１７が形成されている。
【００２２】
突起収容部１７は、ロックアーム１０の突起１４の最大幅よりも十分に大きい内幅を有し、突起１４よりも大きい相似形状の内方広がりの凹溝状に形成されているので、係止時に突起１４を収容することができる。また、突起収容部１７は、両側部に、傾斜面状の当接面１８をそれぞれ有する。突起収容部１７は、突起１４の断面が、等脚台形形状に代えて、半円形状や三角形状にされた場合、それらに対応する凹溝状に形成され、突起収容部１７の当接面１８もそれらに対応する形状に形成される。
【００２３】
突起収容部１７の後方側（図１中、右上側）には、横溝１９が形成されており、この横溝１９には、係止時にロックアーム１０の天板１３が収容される。
【００２４】
係止時に、ロックアーム１０は、端板５をフード部７とロック爪１１との間に挿入しながら、天板１３が、ロック爪１１の係合突起１６を乗り越えて進行される。
【００２５】
図２に示すように、天板１３は、ロック爪１１の係合突起１６を乗り越えてから、横溝１９に嵌め込まれ、ロックアーム１０の突起収容部１７に突起１４が収容される。これにより、ロックアーム１０は、ロック爪１１に係止される。
【００２６】
図３に示すように、係止時に、突起収容部１７に突起１４が収容されることで、突起収容部１７の当接面１８のそれぞれが突起１４の当接面１５のそれぞれに平行に配置される。
【００２７】
この係止状態において、電線カバー１に大きな外力（図７参照）ｆ１が加えられると、その外力ｆ１が、ロックアーム１０を変形しようとする、図中に示す横方向の力となって作用する。すると、ロックアーム１０の突起収容部１７における当接面１８がロック爪１１の突起１４における当接面１５に当接される。そこで、突起１４が等脚台形形状であって当接面１５が傾斜面状に形成されているとともに、突起収容部１７が等脚台形形状であって当接面１８が傾斜面状に形成されているために、突起１４を下方に押圧する方向の分力ｆ２が発生する。これにより、ロックアーム１０とロック爪１１とは、外れる方向への変形を防止されることとなって係止状態が維持される。
【００２８】
また、突起１４は内方広がりの突起収容部１７内に楔状に係合しているので、突起１４が上方に抜け出ることがなく、確実な係止状態が維持される。
【００２９】
上述したように、電線カバーの係止構造の第１実施形態によれば、電線カバー１がコネクタハウジング３に組み付けられている際に、電線が引っ張られたり、持ち上げられたりして大きな回転力が電線カバー１にかかったとしても、ロックアーム１０の突起１４とロック爪１１の突起収容部１７とからなる変形防止機構によってロックアーム１０とロック爪１１との変形が防止される。
【００３０】
そして、ロックアーム１０の突起１４とロック爪１１の突起収容部１７とは、既存のロックアーム１０及びロック爪１１に形成されるために外形に変更はない。これにより、変形を防止されたロックアーム１０及びロック爪１１によって係止が外れることがないので、大型化することなく既存の外形のままで保持力の向上を図ることができる。
【００３１】
また、電線カバーの係止構造の第１実施形態によれば、変形防止機構として、ロック爪１１に、断面が等脚台形で傾斜状の当接面１５を有する突起１４が設けられるとともに、ロックアーム１０に、突起１４よりも大きい相似形状の内方広がりの凹部からなる突起収容部１７が設けられることで、電線カバー１に回転力が与えられた際に、突起収容部１７の当接面１８が、突起１４の当接面１５に当接されることにより、ロックアーム１０の変形が防止されて互いの係止が外れない。
【００３２】
また、突起収容部１７は、ロック爪１１の外形を変更することなく形成され、突起１４は、ロックアーム１０の外形を変更することなく形成される。これにより、大きな外形の変更を伴うことなくロックアーム１０とロック爪１１との確実な係止を保証することができる。
【００３３】
（第２実施形態）
次に、図４〜図６を参照して、本発明に係る第２実施形態の電線カバーの係止構造を説明する。
図４は本発明に係る第２実施形態である電線カバーの係止構造における係止前の外観斜視図、図５は図４に示す電線カバーの係止構造の係止時の外観斜視図、図６は図５のＩＩ−ＩＩ線断面図である。なお、以下の実施形態において、上述した第１実施形態と共通する構成部分の説明は同一符号又は相当符号を付すことで簡略化あるいは省略する。
【００３４】
図４に示すように、本発明の第２実施形態である電線カバーの係止構造は、電線カバー１の端板５上に形成されたロックアーム３０と、コネクタハウジング３のフード部７上に形成されたロック爪３１とからなる。
【００３５】
ロックアーム３０は、端板５上に前方に向けてＬ字形状に突出された一対の側板３２と、一対の側板３２の前方側に掛け渡された前板３３とを備えており、この前板３３の後方側に、変形防止機構のロックアーム側を構成するガイド部３４が形成されている。そして、ガイド部３４には、回転力による変位方向（図６中、紙面と直交方向）に直交する基準線に対して予め定められた傾斜角度θで傾斜された摺接面３５が形成されている。
【００３６】
ロック爪３１は、フード部７上に立設されており、その前端部の後側に、ロックアーム３０のガイド部３４における摺接面３５に平行な傾斜面３６を有する、変形防止機構を構成する傾斜突起３７が突出形成されている。傾斜突起３７の前端には傾斜面３９が形成されている。そして、ロック爪３１の側方には、ロック爪３１から所定の距離を置いて、板形状をなして変形防止機構を構成する当接突部３８がフード部７上に突出形成されている。
【００３７】
係止時に、ロックアーム３０は、端板５をフード部７の下側に挿入させながら、前板３３が、ロック爪３１の傾斜面３９を経て傾斜突起３７を乗り越えて進行される。
【００３８】
図５、図６に示すように、前板３３が、ロック爪３１の傾斜突起３７を乗り越えることで、前板３３が傾斜突起３７に係止され、ガイド部３４の摺接面３５が傾斜突起３７の傾斜面３６に平行に配置される。
【００３９】
この係止状態において、電線カバー１に大きな外力（図７参照）ｆ１が加えられると、ロックアーム３０に、端板５の後方に向けた力が作用する。すると、ロックアーム３０においてガイド部３４の摺接面３５が、ロック爪３１の傾斜突起３７における傾斜面３６に摺接することで、ロック爪３１に右方向の分力ｆ３が発生し、この分力ｆ３により、ロックアーム３０が当接突部３８に近づく方向に、ロックアーム３０とロック爪３１とが相対的に変位する。そして、ロックアーム３０は当接突部３８に当接することとなり、ロックアーム３０は、ロック爪３１から外れずに、係止状態が維持される。
【００４０】
上述したように、電線カバーの係止構造の第２実施形態によれば、変形防止機構として、ロック爪３１に、傾斜面３６を有する傾斜突起３７が設けられるとともに、ロックアーム３０に、摺接面３５を有するガイド部３４が設けられることで、電線カバー１に回転力が与えられた際に、ガイド部３４の摺接面３５が傾斜突起３７の傾斜面３６に摺接案内されて、ロックアーム３０が当接突部３８に当接する。これにより、ロックアーム３０の変形が防止されて互いの係止が外れない。
【００４１】
また、傾斜突起３７は、ロック爪３１の外形を変更することなく形成され、ガイド部３４は、ロックアーム３０の外形を変更することなく形成される。これにより、大きな外形の変更を伴うことなく、ロックアーム３０とロック爪３１との確実な係止を保証することができる。
【００４２】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４３】
例えば、上記実施形態において、ロック爪に設けられた変形防止機構がロックアームに設けられ、ロックアームに設けられた変形防止機構がロック爪に設けられてもよい。
【図面の簡単な説明】
【００４４】
【図１】本発明に係る第１実施形態である電線カバーの係止構造における係止前の外観斜視図である。
【図２】図１に示した電線カバーの係止構造の係止時の外観斜視図である。
【図３】図２のＩ−Ｉ線断面図である。
【図４】本発明に係る第２実施形態である電線カバーの係止構造における係止前の外観斜視図である。
【図５】図４に示した電線カバーの係止構造の係止時の外観斜視図である。
【図６】図５のII−II線断面図である。
【図７】従来の電線カバーの係止構造の外観図である。
【符号の説明】
【００４５】
１  電線カバー
３  コネクタハウジング
１０，３０  ロックアーム
１１，３１  ロック爪
１４  突起（変形防止機構）
１５  当接面
１７  突起収容部（変形防止機構）
１８  当接面
３４  ガイド部（変形防止機構）
３５  摺接面
３６  傾斜面
３７  傾斜突起（変形防止機構）
３８  当接突部（変形防止機構）
【図１】
2008041443.tif 000003
【図２】
2008041443.tif 000004
【図３】
2008041443.tif 000005
【図４】
2008041443.tif 000006
【図５】
2008041443.tif 000007
【図６】
2008041443.tif 000008
【図７】
2008041443.tif 000009